(57)【特許請求の範囲】
【請求項１】
被検体を観察または照明するための窓部が配設される機能領域部と、開口部と、前記機能領域部及び前記開口部を除いた領域である非機能領域部とを含む先端面を有する内視鏡挿入部の挿入先端部に対して、内視鏡先端キャップを装着させる内視鏡先端キャップ装着具であって、
前記内視鏡先端キャップを前記挿入先端部に装着する際に、前記開口部に挿入される装着挿入部と、
前記装着挿入部が前記開口部に挿入された際に、前記機能領域部を避けて前記非機能領域部の少なくとも一部にのみ当接する１以上の当接先端面部を有する当接部と、
前記当接部が配設されるとともに、前記内視鏡先端キャップの軸方向において前記当接部の前記当接先端面部から離れて配設されるベース先端面部を有するベース部と、
前記当接先端面部が前記非機能領域部に当接した際、前記内視鏡先端キャップのキャップ先端面が当接することによって前記内視鏡挿入部の軸周り方向に対して前記内視鏡先端キャップと内視鏡先端キャップ装着具とを位置決めし、前記ベース部の周りに配設される位置決め部と、
を具備する内視鏡先端キャップ装着具。
【請求項２】
前記内視鏡先端キャップの前記キャップ先端面は、前記内視鏡先端キャップの軸周り方向において交互に配設されるキャップ凹部及びキャップ凸部を有し、
前記位置決め部は、前記内視鏡先端キャップの径方向において前記キャップ凹部と観察ユニットの観察窓部または照明ユニットの照明窓部とが互いに隣り合って配設されるように、前記軸周り方向において前記挿入先端部に対して前記内視鏡先端キャップと内視鏡先端キャップ装着具とを位置決めする請求項１に記載の内視鏡先端キャップ装着具。
【請求項３】
前記位置決め部には、前記キャップ凹部に嵌め込まれる装着凸部と、前記キャップ凸部が嵌め込まれる装着凹部とが前記軸周り方向において交互に配設されており、
前記キャップ凸部が嵌め込まれた前記装着凹部と前記キャップ凹部が嵌め込まれた前記装着凸部とは、前記キャップ凹部と前記キャップ凸部と共に、前記軸周り方向において前記挿入先端部に対して前記内視鏡先端キャップと内視鏡先端キャップ装着具とを位置決めする請求項２に記載の内視鏡先端キャップ装着具。
【請求項４】
前記ベース部が配設される本体先端面部を有し、前記ベース部よりも太い本体部をさらに有し、
前記本体先端面部は、前記装着凸部と前記装着凹部とを有する請求項３に記載の内視鏡先端キャップ装着具。
【請求項５】
前記機能領域部は、前記被検体を観察するための前記窓部に向けて送気送水する送気送水ノズルをさらに含む請求項１に記載の内視鏡先端キャップ装着具。
【請求項６】
前記装着挿入部は、前記装着挿入部の軸方向に、前記装着挿入部の基端部から前記装着挿入部の先端部に向かって細くなるように、形成されている請求項１に記載の内視鏡先端キャップ装着具。
【請求項７】
前記開口部は、処置具挿通チャンネルと連通する処置具開口部と、洗浄液を吐出する吐出開口部との少なくとも一方を有している請求項１に記載の内視鏡先端キャップ装着具。
【請求項８】
複数の前記開口部が配設され、
前記装着挿入部は、１つ以上且つ前記開口部の数と同数または前記開口部の数よりも少なく配設され、１つの前記装着挿入部が１つの前記開口部にそれぞれ挿入される請求項１に記載の内視鏡先端キャップ装着具。
【請求項９】
少なくとも１つの前記装着挿入部は、前記キャップ先端面が前記位置決め部に当接した際に、前記装着挿入部の先端部が前記内視鏡先端キャップの基端部から突出する長さを有する請求項１に記載の内視鏡先端キャップ装着具。
【請求項１０】
前記開口部は、前記内視鏡挿入部の前記挿入先端部に配設される筒状の硬質部材と連通しており、
前記装着挿入部は、前記硬質部材のみに収納されるように、前記内視鏡先端キャップの軸方向において前記硬質部材よりも短い請求項１に記載の内視鏡先端キャップ装着具。
【請求項１１】
前記装着挿入部は、前記当接部と前記ベース部との少なくとも一方に立設されている請求項１に記載の内視鏡先端キャップ装着具。
【請求項１２】
複数の前記当接先端面部が配設されている請求項１に記載の内視鏡先端キャップ装着具。
【請求項１３】
請求項１に記載の内視鏡先端キャップ装着具及び内視鏡挿入部の挿入先端部に装着される内視鏡先端キャップ。
【請求項１４】
請求項１に記載の内視鏡先端キャップ装着具及び請求項１３に記載の内視鏡先端キャップを有する内視鏡装置。
【発明の詳細な説明】
【技術分野】
【０００１】
本発明は、内視鏡先端キャップ装着具、内視鏡先端キャップ及び内視鏡装置に関する。
【背景技術】
【０００２】
内視鏡の挿入部が例えば胃に挿入された際に、胃の粘膜が挿入部の先端部に配設されている観察窓部に付着する虞が生じる。これにより、所望する視野が確保されない虞が生じる。このため、挿入部の先端部には、粘膜が観察窓部に付着することを防止する内視鏡先端キャップ（以下、キャップと称する）が装着される。【０００３】
キャップは、例えば、特許文献１と特許文献２と特許文献３とに開示されている。キャップが先端部に装着される際、キャップは柔軟で変形しやすいため、先端部に対するキャップの装着作業は手間がかかる。また、キャップの軸周り方向と挿入部の軸周り方向とにおいてキャップの位置を適切に位置決めしてキャップを先端部に装着させる作業は手間がかかる。【０００４】
このためキャップは、例えば、特許文献２と特許文献３とに開示されているような内視鏡先端キャップ装着具（以下、装着具と称する）によって、先端部に装着される。
【先行技術文献】
【特許文献】
【０００５】
【特許文献１】特開２００３−２９０１３２号公報
【特許文献２】特開２００３−１１６７７２号公報
【特許文献３】特開２００３−１１６７７３号公報
【発明の概要】
【発明が解決しようとする課題】
【０００６】
キャップが装着具によって先端部に装着される際、装着具を含むキャップがキャップの軸周りに回転すると、装着具が先端部に配設されている機能領域部を傷つけてしまう虞が生じる。この機能領域部は、例えば、照明窓部や観察窓部を含む。【０００７】
このためキャップが先端部に装着される際、装着具には、先端部に配設されている機能領域部を傷つけることを防止することが求められている。【０００８】
本発明は、これらの事情に鑑みてなされたものであり、内視鏡先端キャップが挿入部の先端部に装着される際、先端部に配設されている機能領域部を傷つけることを防止できる内視鏡先端キャップ装着具、内視鏡先端キャップ及び内視鏡の挿入先端部にこのキャップ装着具によって装着される内視鏡先端キャップを含む内視鏡装置を提供することを目的とする。
【課題を解決するための手段】
【０００９】
本発明の内視鏡先端キャップ装着具の一態様は、被検体を観察または照明するための窓部が配設される機能領域部と、開口部と、前記機能領域部及び前記開口部を除いた領域である非機能領域部とを含む先端面を有する内視鏡挿入部の挿入先端部に対して、内視鏡先端キャップを装着させる内視鏡先端キャップ装着具であって、前記内視鏡先端キャップを前記挿入先端部に装着する際に、前記開口部に挿入される装着挿入部と、前記装着挿入部が前記開口部に挿入された際に、前記機能領域部を避けて前記非機能領域部の少なくとも一部にのみ当接する１以上の当接先端面部を有する当接部と、前記当接部が配設されるとともに、前記内視鏡先端キャップの軸方向において前記当接部の前記当接先端面部から離れて配設されるベース先端面部を有するベース部と、前記当接先端面部が前記非機能領域部に当接した際、前記内視鏡先端キャップのキャップ先端面が当接することによって前記内視鏡挿入部の軸周り方向に対して前記内視鏡先端キャップと内視鏡先端キャップ装着具とを位置決めし、前記ベース部の周りに配設される位置決め部と、を具備する。
【図面の簡単な説明】
【００１０】
【図１Ａ】図１Ａは、本発明の第１の実施形態に係る内視鏡装置の概略斜視図である。
【図１Ｂ】図１Ｂは、先端硬質部に装着された内視鏡先端キャップの斜視図である。
【図１Ｃ】図１Ｃは、図１Ｂに示す内視鏡先端キャップの斜視図である。
【図１Ｄ】図１Ｄは、図１Ｃに示す内視鏡先端キャップが先端硬質部に装着された際の観察視野を示す図である。
【図１Ｅ】図１Ｅは、本実施形態の内視鏡先端キャップとは異なる円筒形状の内視鏡先端キャップの斜視図である。
【図１Ｆ】図１Ｆは、図１Ｅに示す内視鏡先端キャップが先端硬質部に装着された際の観察視野を示す図である。
【図２Ａ】図２Ａは、内視鏡先端キャップが装着された先端硬質部の正面図である。
【図２Ｂ】図２Ｂは、先端硬質部と内視鏡先端キャップと内視鏡先端キャップ装着具との斜視図である。
【図２Ｃ】図２Ｃは、内視鏡先端キャップが内視鏡先端キャップ装着具によって先端硬質部に装着された状態の斜視図である。
【図２Ｄ】図２Ｄは、内視鏡先端キャップ装着具の正面図である。
【図３Ａ】図３Ａは、内視鏡先端キャップと内視鏡先端キャップ装着具とにおける長さと径との関係を示す図である。
【図３Ｂ】図３Ｂは、内視鏡先端キャップが内視鏡先端キャップ装着具に装着された際に、装着挿入部の挿入先端部が内視鏡先端キャップを貫通し内視鏡先端キャップの基端部から突出し基端部から露出する状態を示す図である。
【図３Ｃ】図３Ｃは、装着挿入部が硬質部材よりも短いことを示す図である。
【図４Ａ】図４Ａは、露出面が外向きフランジ部として形成されていることを示す図である。
【図４Ｂ】図４Ｂは、装着挿入部の挿入先端部が面取り部を有していることを示す図である。
【図４Ｃ】図４Ｃは、装着挿入部が装着挿入部の軸方向において挿入基端部から挿入先端部に向かって先細に形成されていることを示す図である。
【図５Ａ】図５Ａは、装着挿入部が吐出開口部に挿入されることを示す図である。
【図５Ｂ】図５Ｂは、装着挿入部が複数の処置具開口部に挿入されることを示す図である。
【図５Ｃ】図５Ｃは、装着挿入部が処置具開口部と吐出開口部とに挿入されることを示す図である。
【図６Ａ】図６Ａは、当接部の円弧上の外周面の一部が、装着具の軸方向において、ベース部の外周面の一部と同一平面上に配設され、ベース部の外周面の一部と連接している状態を示す図である。
【図６Ｂ】図６Ｂは、図６Ａの側面図である。
【図７Ａ】図７Ａは、当接部が複数配設されていることを示す図である。
【図７Ｂ】図７Ｂは、当接部が複数配設されていることを示す図である。
【発明を実施するための形態】
【００１１】
以下、図面を参照して本発明の実施形態について詳細に説明する。なお一部の図面では、図示の明瞭化のために、一部の部材の図示を省略している。  
［第１の実施形態］  
［構成］  
図１Ａと図１Ｂと図１Ｃと図１Ｄと図１Ｅと図１Ｆと図２Ａと図２Ｂと図２Ｃと図２Ｄと図３Ａと図３Ｂと図３Ｃとを参照して第１の実施形態について説明する。
【００１２】
［内視鏡装置５］  
図１に示すように、内視鏡装置５は、図示しない撮像ユニットを有する内視鏡１０と、内視鏡１０を制御する制御装置１４と、制御装置１４と接続している表示部１６とを有している。制御装置１４は、撮像ユニットによって撮像された画像を処理する図示しない画像処理部を有している。表示部１６は、内視鏡１０によって撮像され、画像処理部によって処理された画像を表示する。
【００１３】
［内視鏡１０］  
図１Ａに示すような内視鏡１０は、例えば、直視型の内視鏡である。  
図１Ａに示すように内視鏡１０は、例えば患者の管腔に挿入される細長い挿入部２０と、挿入部２０の基端部と連結し、内視鏡１０を操作する操作部３０とを有している。
【００１４】
［挿入部２０］  
図１Ａに示すように、挿入部２０は、挿入部２０の先端部側から挿入部２０の基端部側に向かって、先端硬質部２１と、湾曲部２３と、可撓管部２５とを有している。先端硬質部２１の基端部は湾曲部２３の先端部と連結し、湾曲部２３の基端部は可撓管部２５の先端部と連結している。  
先端硬質部２１は、挿入部２０の先端部であり、硬く、曲がらない。先端硬質部２１の構成については、後述する。先端硬質部２１は、挿入部２０の挿入先端部として機能する。  
湾曲部２３は、後述する湾曲操作部３７の操作によって、例えば上下左右といった所望の方向に湾曲する。湾曲部２３が湾曲することにより、先端硬質部２１の位置と向きとが変わる。そして、図示しない照明光が観察対象物に照明され、観察対象物が観察視野内に捉えられる。この観察対象物とは、例えば、被検体（例えば体腔）内における患部や病変部等である。  
可撓管部２５は、操作部３０における後述する本体部３１から延出されている管状部材であり、外力によって曲がる所望な可撓性を有している。
【００１５】
［操作部３０］  
図１Ａに示すように、操作部３０は、可撓管部２５が延出している本体部３１と、本体部３１の基端部と連結し、内視鏡１０を操作する操作者によって把持される把持部３３と、把持部３３と接続しているユニバーサルコード４１とを有している。
【００１６】
［把持部３３］  
図１Ａに示すように、把持部３３は、処置具挿入部３５と、湾曲部２３を湾曲操作する湾曲操作部３７と、スイッチ部３９とを有している。処置具挿入部３５は把持部３３の先端部に配設され、湾曲操作部３７とスイッチ部３９とは把持部３３の基端部に配設されている。
【００１７】
［処置具挿入部３５］  
図１Ａに示すように、処置具挿入部３５は、把持部３３に対して分岐している。このため、処置具挿入部３５の中心軸方向は、把持部３３の中心軸方向に対して傾斜している。  
図１Ａに示すように、処置具挿入部３５は、処置具挿入部３５の端部に配設され、図示しない処置具が内視鏡１０に挿入されるための処置具挿入口部３５ａを有している。
【００１８】
処置具挿入口部３５ａは、図示しない処置具挿通チャンネルの基端部と連結している。処置具挿通チャンネルは、挿入部２０の内部に配設され、可撓管部２５から湾曲部２３を介して先端硬質部２１に渡って配設されている。処置具挿通チャンネルの先端部は、先端硬質部２１に配設されている処置具開口部１３０ａ（図１Ｂ参照）と連通している。処置具挿入口部３５ａは、処置具を処置具挿通チャンネルに挿入するための挿入口である。
【００１９】
［湾曲操作部３７］  
図１Ａに示すように、湾曲操作部３７は、湾曲部２３を左右に湾曲操作させる左右湾曲操作ノブ３７ａと、湾曲部２３を上下に湾曲操作させる上下湾曲操作ノブ３７ｂと、湾曲した湾曲部２３の位置を固定する固定ノブ３７ｃなどの湾曲固定ノブを有している。
【００２０】
［スイッチ部３９］  
図１Ａに示すように、スイッチ部３９は、吸引スイッチ３９ａと、送気・送水スイッチ３９ｂと、内視鏡撮影用の各種スイッチ３９ｃとを有している。吸引スイッチ３９ａと送気・送水スイッチ３９ｂと各種スイッチ３９ｃとは、把持部３３が操作者に把持された際に、操作者の手によって操作される。  
吸引スイッチ３９ａは、吸引開口部を兼ねる処置具開口部１３０ａから吸引チャンネルを兼ねる処置具挿通チャンネルを介して、粘液や流体等を内視鏡１０が吸引するときに操作される。  
送気・送水スイッチ３９ｂは、先端硬質部２１において観察ユニットの観察視野１０１（図１Ｄ参照）を確保するために、図示しない送気チューブと図示しない送気・送水チューブとから流体を送気するときと、送水チューブと送気・送水チューブとから流体を送水するときに操作される。流体は、水や気体を含む。  
送気チューブと、送水チューブと、送気・送水チューブとは、内視鏡１０の内部において、挿入部２０から本体部３１と把持部３３とを介してユニバーサルコード４１にまで配設されている。
【００２１】
［ユニバーサルコード４１］  
図１Ａに示すように、ユニバーサルコード４１は、把持部３３の側面から延出されている。ユニバーサルコード４１は、制御装置１４に着脱自在な接続コネクタ４１ａを有している。
【００２２】
［内視鏡先端キャップ（以下、キャップ５０と称する）］  
図１Ａと図１Ｂと図１Ｃとに示すように、内視鏡１０は、挿入部２０の先端部として機能する先端硬質部２１に着脱自在なキャップ５０をさらに有している。キャップ５０は、筒形状、例えば略円筒形状を有している。キャップ５０は、例えば樹脂などの柔軟な部材によって形成されている。
【００２３】
図１Ａと図１Ｂとに示すように、キャップ５０は、先端硬質部２１の先端部に着脱自在に装着される基端部５１と、基端部５１が先端硬質部２１の先端部に装着された際に先端硬質部２１の先端面２１ａよりも前方に配設される先端部５３とを有している。つまりキャップ５０は、キャップ５０の軸方向において、キャップ５０の一部である基端部５１が先端硬質部２１に装着され、キャップ５０の残りの一部である先端部５３が先端硬質部２１の先端面２１ａよりも前方に突出するように、先端硬質部２１に着脱自在に装着される。そして、基端部５１は、キャップ５０を先端硬質部２１に取り付ける取付部として機能する。
【００２４】
図１Ｂに示すように、先端面２１ａは、例えば、被検体を観察する観察ユニットの観察窓部１００ａと、被検体に照明光を照明する照明ユニットの照明窓部１１０ａとを有する。先端面２１ａは、観察窓部１００ａに向けて送気送水する送気送水ノズル１２０ａと、処置具が突出する処置具開口部１３０ａをさらに有している。  
図１Ｂと図２Ａとに示すように、処置具開口部１３０ａは、先端面２１ａの中心軸上とは異なる位置に配設されている。例えば、処置具開口部１３０ａは、先端面２１ａの中心軸よりも先端面２１ａの縁部側に偏って配設されている。つまり処置具開口部１３０ａは、先端面２１ａの中心軸に対して偏心している。  
図１Ｂと図２Ａとに示すように、先端面２１ａは、機能領域部２１ｂと、機能領域部２１ｂを除いた領域である非機能領域部２１ｃとを有している。機能領域部２１ｂは、観察窓部１００ａと照明窓部１１０ａと送気送水ノズル１２０ａと処置具開口部１３０ａなどの開口部を有している。開口部は、先端面２１ａの中心軸に対して偏心している。非機能領域部２１ｃは、先端面２１ａに配設されている機能領域部２１ｂ以外の先端面２１ａに配設されている領域部を示す。非機能領域部２１ｃは、例えば平面形状を有している。機能領域部２１ｂは、機能する部材が配設されている第１領域部である。非機能領域部２１ｃは、機能する部材が配設されていない第２領域部である。
【００２５】
［キャップ５０の凹部５３ａ］  
先端面２１ａから突出する先端部５３の突出量、言い換えるとキャップ５０の突出高さは、例えば、近接観察における最適な距離に設定されている。具体的には、先端硬質部２１は、観察ユニットと、照明ユニットとを有している。図１Ｄに示すように、観察ユニットの観察視野１０１は、例えば略八角形形状などの非円形形状を有している。図１Ｅに示すような凹部５３ａと凸部５３ｂとが先端部５３に配設されていない円筒形状のキャップ５０が先端硬質部２１に装着される場合について説明する。図１Ｅに示すこのキャップ５０は、本実施形態のキャップ５０とは異なる。この場合、図１Ｆに示すように、キャップ５０の先端の一部５０ａが観察視野１０１の両脇部分に入り込み、一部５０ａが観察視野１０１を妨げてしまう虞が生じる。図示はしないが、キャップ５０の先端の一部５０ａが照明範囲の両脇部分に入り込み、一部５０ａが照明範囲を妨げてしまう虞が生じる。  
このため図１Ｂと図１Ｄとに示すように、キャップ５０が先端硬質部２１に装着された際に、先端面２１ａから突出する先端部５３が観察ユニットの観察視野１０１と照明ユニットの照明範囲とを遮らないように、キャップ５０は形成されている。詳細には、図１Ｂと図１Ｃと図１Ｄとに示すように、キャップ５０が観察視野１０１と照明範囲とに入り込まないように、キャップ５０の先端の一部５０ａは凹設されている。よって、図１Ｂと図１Ｃと図２Ａとに示すように、例えば、キャップ５０は、先端部５３に配設されている凹部５３ａを有している。凹部５３ａは、キャップ５０の軸方向において先端部５３から基端部５１に向かって凹設されている。凹部５３ａは、先端硬質部２１に配設されている観察ユニットの観察視野１０１に凹部５３ａが重複するように、キャップ５０の径方向において観察ユニットに隣り合っていてもよい。凹部５３ａは、先端硬質部２１に配設されている照明ユニットの照明範囲に凹部５３ａが重複するように、キャップ５０の径方向において照明ユニットに隣り合っていてもよい。前記した２つの重複は、少なくとも一方が実施されていればよい。このため凹部５３ａは、例えば、凹部５３ａが観察窓部１００ａと照明窓部１１０ａとに隣り合うように、配設される。なお内視鏡観察画像におけるマスクの形状に応じて、照明光を遮ってもよい領域に応じて、照明光を遮ってはいけない領域に応じて、観察視野１０１や照明光の広がりに応じて、凹部５３ａの少なくとも一部が観察窓部１００ａと照明窓部１１０ａとに隣り合うように、凹部５３ａの少なくとも一部が配設されていればよい。凹部５３ａは、キャップ５０の軸周り方向において、キャップ５０の一部５０ａに配設される。凹部５３ａは、キャップ５０の軸周り方向において、複数配設されている。
【００２６】
［キャップ５０の凸部５３ｂ］  
そして図１Ｂと図１Ｃと図２Ａとに示すように、キャップ５０の軸周り方向において、凹部５３ａの隣には、複数の凸部５３ｂが配設されることとなる。キャップ５０の軸周り方向において、凹部５３ａと凸部５３ｂとが交互に配設されることとなる。凹部５３ａと凸部５３ｂとは、キャップ５０の先端の縁部に配設される。凹部５３ａと凸部５３ｂとは、キャップ５０の先端として機能する。
【００２７】
凹部５３ａと凸部５３ｂとにおいて、形状や高さ等は、内視鏡観察画像におけるマスクの形状に応じて、照明光を遮ってもよい領域に応じて、照明光を遮ってはいけない領域に応じて、観察視野１０１や照明光の広がりに応じて、所望に設定される。
【００２８】
［キャップ５０の先端面５３ｃ］  
図１Ｂと図１Ｃとに示すように、このような凹部５３ａと凸部５３ｂとを有するキャップ５０の先端部５３において、先端部５３の先端面５３ｃは、キャップ５０の軸周り方向において、例えば波形状に形成されている。このためキャップ５０の先端の突出量は、部分的に変化している。キャップ５０の軸周り方向において、先端面５３ｃの稜線部５３ｄは滑らかとなっている。つまり凹部５３ａは、キャップ５０の軸周り方向において、段差が形成されることなく、滑らかに凸部５３ｂと連続する。
【００２９】
［指標部５１ｂ］  
図１Ｂに示すように、基端部５１は、凹部５３ａが前記したように観察ユニットと照明ユニットとに隣り合って配設されるように、先端硬質部２１の軸周り方向とキャップ５０の軸周り方向とにおいて、先端硬質部２１とキャップ５０との互いの位置合わせのために配設される指標部５１ｂを有している。指標部５１ｂが先端硬質部２１の軸周り方向において例えば処置具開口部１３０ａの位置や幅に合わせるといったように所望する部分に配設されると、凹部５３ａが前記したように観察ユニットと照明ユニットとに隣り合うように配設されることとなる。指標部５１ｂは、例えば基端部５１の一部に切り欠き部が配設されることによって形成される。
【００３０】
［内視鏡先端キャップ装着具（以下、装着具７０と称する）］  
図２Ｂと図２Ｃとに示すように、前記したキャップ５０は、装着具７０に装着されると共に、装着具７０によって先端硬質部２１に装着される。言い換えると、装着具７０は、先端面２１ａを有する挿入部２０の挿入先端部として機能する先端硬質部２１に対して、キャップ５０を装着させる。装着具７０がキャップ５０を先端硬質部２１に装着させた際に、キャップ５０の中心軸と先端硬質部２１の中心軸と装着具７０の中心軸とは、互いに同軸上に配設される。前記したように先端硬質部２１は、処置具開口部１３０ａなどの開口部を含む機能領域部２１ｂと機能領域部２１ｂを除いた領域である非機能領域部２１ｃとが配設されている先端面２１ａを有している。装着具７０は、例えば、樹脂や金属などによって形成される。
【００３１】
図２Ｂと図２Ｃとに示すように、装着具７０は、先端部（以下、装着先端部７０ａと称する）と基端部（以下、装着基端部７０ｂと称する）とを有している。装着具７０は、装着具７０の装着先端部７０ａが装着具７０の装着基端部７０ｂよりも細くなるように、段付き形状に形成されている。このため、装着具７０は、例えば、凸形状の外形を有する。装着先端部７０ａは、装着基端部７０ｂと一体である。キャップ５０と、装着具７０と、先端硬質部２１とは、互いに別体である。
【００３２】
図２Ｂと図２Ｃとに示すように、装着具７０が先端硬質部２１に装着される際、装着具７０の軸方向において、装着先端部７０ａは先端硬質部２１の近くに配設され、装着基端部７０ｂは先端硬質部２１から離れて配設される。キャップ５０が装着具７０に装着された際、装着先端部７０ａはキャップ５０によって覆われ、装着基端部７０ｂはキャップ５０に対して露出している。
【００３３】
［装着具７０の構成１］  
図２Ｂと図２Ｃとに示すように、装着具７０は、装着先端部７０ａに配設され、装着具７０がキャップ５０を先端硬質部２１に装着する際に、例えば処置具開口部１３０ａなどの開口部に挿入される装着挿入部７１と、装着先端部７０ａに配設され、装着挿入部７１が開口部に挿入された際に、非機能領域部２１ｃの少なくとも一部に当接する当接部７３とを有している。装着具７０は、装着先端部７０ａに配設され、当接部７３が載置されているベース部７５をさらに有している。このように装着具７０は、装着具７０の軸方向において、先端硬質部２１から順に装着挿入部７１と当接部７３とベース部７５とを装着先端部７０ａに有している。
【００３４】
装着挿入部７１と当接部７３とベース部７５とは、一体物である。装着具７０の軸方向において、装着挿入部７１は当接部７３と連接し、当接部７３はベース部７５と連接している。
【００３５】
［装着挿入部７１］  
図２Ｂと図２Ｃとに示すように、装着挿入部７１は、装着具７０が先端硬質部２１に着脱自在となるように、例えば処置具開口部１３０ａに対して挿抜自在となっている。装着挿入部７１は、例えば、柱形状、具体的には円柱形状、または多角柱形状を有している。装着挿入部７１の外形は、処置具開口部１３０ａの内形と略同一である。装着挿入部７１の外径は、処置具開口部１３０ａの内径と略同一である。
【００３６】
図２Ｂと図２Ｃと図２Ｄとに示すように、装着挿入部７１は、装着挿入部７１が処置具開口部１３０ａに挿入されるために、装着具７０の中心軸上とは異なる位置に配設されている。例えば装着挿入部７１は、装着具７０の中心軸よりも装着具７０の縁部側に偏って配設されている。つまり装着挿入部７１は、装着具７０の中心軸に対して偏心している。詳細には、装着挿入部７１は、装着具７０の中心軸に対して偏心している中心軸を有することとなる。装着挿入部７１が装着具７０の中心軸と当接部７３の中心軸とに対して偏心するように、装着挿入部７１は当接先端面部７３ｃの縁部側に配設されている。詳細については後述するが、装着挿入部７１が当接先端面部７３ｃの平面方向に対して直交する直交方向に沿って配設されさらに装着具７０の軸方向に沿って配設されるように、装着挿入部７１は当接部７３に立設されることとなる。装着挿入部７１は、装着具７０の中心軸と先端硬質部２１の中心軸と処置具開口部１３０ａとの位置関係に応じて配設される。
【００３７】
［当接部７３］  
図２Ｂと図２Ｃとに示すように、当接部７３は、例えば、柱形状、具体的には略１/４円柱形状を有している。当接部７３は、例えば、装着挿入部７１よりも太い。当接部７３は、例えば、送気送水ノズル１２０ａの突出長よりも長い。
【００３８】
図２Ｂと図２Ｃと図２Ｄとに示すように、当接部７３は、当接部７３の中心軸が装着具７０の中心軸とは装着具７０の径方向においてずれるように、配設されている。つまり当接部７３は、装着具７０の中心軸に対して偏心している。
【００３９】
図２Ｂと図２Ｃと図２Ｄとに示すように、当接部７３は、当接部７３の当接先端部７３ａに配設され、非機能領域部２１ｃの少なくとも一部に当接する当接先端面部７３ｃを有している。当接先端面部７３ｃは、例えば、平面形状に形成されている。本実施形態では、当接先端面部７３ｃが当接する非機能領域部２１ｃは、例えば、先端硬質部２１の軸周り方向において、処置具開口部１３０ａと観察窓部１００ａとの間の領域部を示す。当接先端面部７３ｃを含む当接部７３は、非機能領域部２１ｃに当接するのみで、機能領域部２１ｂには当接しない。
【００４０】
図２Ｂと図２Ｃと図２Ｄとに示すように、当接先端面部７３ｃは、例えば装着挿入部７１の根本部分である装着挿入部７１の装着挿入基端部７１ｂと連接している。装着挿入部７１が処置具開口部１３０ａに挿入された際に、当接先端面部７３ｃが前記したような非機能領域部２１ｃに当接するために、当接先端面部７３ｃは、装着具７０の軸方向において装着挿入部７１が当接先端面部７３ｃに載置されるように、装着挿入基端部７１ｂと連接している。詳細には、装着挿入部７１の中心軸が当接先端面部７３ｃの中心軸上と装着具７０の中心軸上とに配設されず、装着挿入部７１の中心軸が当接先端面部７３ｃの中心軸と装着具７０の中心軸上とに対して当接先端面部７３ｃの平面方向にずれ、装着挿入部７１の中心軸が当接先端面部７３ｃの中心軸と装着具７０の中心軸上とに対してオフセットされるように、装着挿入部７１は当接先端面部７３ｃの縁部側に配設されている。
【００４１】
［ベース部７５］  
図２Ｂと図２Ｃとに示すように、ベース部７５は、例えば、柱形状、具体的には円柱形状を有している。ベース部７５は、例えば、当接部７３よりも太い。ベース部７５の中心軸は、装着具７０の中心軸上に配設されている。
【００４２】
図２Ｂと図２Ｃと図２Ｄとに示すように、ベース部７５は、ベース部７５のベース先端部７５ａに配設されているベース先端面部７５ｃを有している。ベース先端面部７５ｃは、当接先端面部７３ｃが前記したような非機能領域部２１ｃに当接するように、当接部７３の根本部分である当接部７３の当接基端部７３ｂと連接している。ベース先端面部７５ｃは、装着具７０の軸方向において当接部７３がベース先端面部７５ｃに載置されるように、当接基端部７３ｂと連接している。詳細には、当接部７３の中心軸がベース先端面部７５ｃの中心軸上に配設されず、当接部７３の中心軸がベース先端面部７５ｃの中心軸に対してベース先端面部７５ｃの平面方向にずれ、当接部７３の中心軸がベース先端面部７５ｃの中心軸に対してオフセットされるように、当接部７３はベース部７５の縁部側に配設されている。
【００４３】
図２Ｃに示すように、当接部７３が非機能領域部２１ｃと当接した際に、キャップ５０の軸方向においてベース部７５のベース先端面部７５ｃ全体と先端面２１ａとの間にスペース部８０が形成されるように、ベース部７５は当接部７３の長さによって先端面２１ａから離れて配設される。つまりベース部７５は、先端面２１ａとは当接しない。
【００４４】
図２Ｂと図２Ｃと図２Ｄとに示すように、キャップ５０の先端部５３は、ベース部７５に着脱自在に取り付けられる。そして、キャップ５０の先端部５３がベース部７５に嵌め込まれて装着されるように、ベース部７５の外形はキャップ５０の内形と略同一であり、ベース部７５の外径はキャップ５０の内径と略同一である。このため、ベース部７５の外周面は、キャップ５０の内周面と密着可能である。キャップ５０の先端部５３がベース部７５に嵌め込まれて装着された際、ベース部７５は、装着具７０に対して、キャップ５０の径方向においてキャップ５０を位置決めする。
【００４５】
［装着具７０の構成２］  
［位置決め部７７］  
図２Ｂと図２Ｃと図２Ｄとに示すように、装着挿入部７１が処置具開口部１３０ａなどの開口部に挿入され、当接部７３が非機能領域部２１ｃの少なくとも一部に当接し、装着具７０がキャップ５０を先端硬質部２１に装着した際、キャップ５０の先端面５３ｃが位置決め部７７に当接することによって、キャップ５０と装着具７０とが先端硬質部２１に対して挿入部２０の軸周りに回転することを防止し、軸周り方向において先端硬質部２１に対してキャップ５０と装着具７０とを位置決めする位置決め部７７を装着具７０はさらに有している。
【００４６】
前記したように、キャップ５０は、先端面５３ｃに配設されている凹部５３ａ及び凸部５３ｂを有している。凹部５３ａと凸部５３ｂとは、キャップ５０の軸周り方向において、交互に配設されている。先端硬質部２１は、観察ユニットと、照明ユニットとを有している。  
位置決め部７７は、例えば凹部５３ａがキャップ５０の径方向において観察ユニットの観察窓部１００ａまたは照明ユニットの照明窓部１１０ａと隣り合って配設される状態といったように、軸周り方向において先端硬質部２１に対してキャップ５０と装着具７０とを、所望の位置に位置決めする。
【００４７】
図２Ｂと図２Ｃと図２Ｄとに示すように、このため位置決め部７７は、凹部５３ａに嵌め込まれる凸部７７ａと、凸部５３ｂが嵌め込まれる凹部７７ｂとを有している。  
凸部７７ａと凹部７７ｂとは、装着具７０の軸周り方向において、交互に配設されている。  
凸部７７ａが凹部５３ａに嵌め込まれ、凹部７７ｂに凸部５３ｂが嵌め込まれた際、凸部７７ａと凹部７７ｂとは、凹部５３ａと凸部５３ｂと共に、軸周り方向において先端硬質部２１に対してキャップ５０と装着具７０とを位置決めする。そして位置決め部７７は、装着具７０に対して、キャップ５０の軸周り方向においてキャップ５０を位置決めする。
【００４８】
詳細には、キャップ５０が先端硬質部２１に装着された際、前記したように凹部５３ａが観察視野１０１と照明範囲とに重複する必要がある。このため、凹部５３ａが観察視野１０１と照明範囲とに重複するように、装着具７０は、先端硬質部２１の軸周り方向おいて、先端硬質部２１に対してキャップ５０を位置決めする必要がある。
【００４９】
このためにまず、キャップ５０が装着具７０に装着される。このとき、凸部７７ａは凹部５３ａに嵌め込まれ、凹部７７ｂに凸部５３ｂが嵌め込まれる。これにより、キャップ５０は、装着具７０に対して、装着具７０の軸周り方向に位置決めされることとなる。  
次に、装着挿入部７１が処置具開口部１３０ａに挿入され、キャップ５０が先端硬質部２１に装着される。これにより、装着具７０は、キャップ５０によって、先端硬質部２１に対して、先端硬質部２１の軸周り方向において位置決めされる。  
そして、装着具７０は、先端硬質部２１の軸周り方向において、先端硬質部２１に対してキャップ５０を位置決めすることとなる。  
詳細には、図２Ｂと図２Ｃと図２Ｄとに示すように、本実施形態では、処置具開口部１３０ａは先端面２１ａの中心軸に対して偏心しており、装着挿入部７１は装着具７０の中心軸に対して偏心している。このため、装着具７０が装着挿入部７１を中心に装着具７０の軸周りに回転しようとしても、装着具７０はキャップ５０によって装着具７０の軸周りに回転することを防止される。これにより、前記したように装着具７０は、キャップ５０によって、先端硬質部２１に対して、先端硬質部２１の軸周り方向において位置決めされる。これにともない、前記したように、キャップ５０も、装着具７０によって、キャップ５０の軸周りに回転することを防止される。  
図２Ｂと図２Ｃと図２Ｄとに示すように、前記において、凸部７７ａの形状は凹部５３ａの形状に対応し、凹部７７ｂの形状は凸部５３ｂの形状に対応する。よって、前記位置決めによって、凹部５３ａが観察視野１０１と照明範囲とに重複するように、装着具７０は、先端硬質部２１にキャップ５０を装着させると共に、先端硬質部２１に対してキャップ５０を位置決めすることとなる。このように、位置決め部７７は、処置具開口部１３０ａと装着挿入部７１とキャップ５０とを含んでもよいこととなる。
【００５０】
なお、本実施形態とは異なり、例えば、装着挿入部７１が装着具７０の中心軸上に配設され、処置具開口部１３０ａが先端面２１ａの中心軸上に配設されるとする。この場合において、装着具７０とキャップ５０とが先端硬質部２１に装着されると、装着具７０とキャップ５０とは、先端硬質部２１に対して、先端硬質部２１の軸周りに回転可能となってしまう。しかしながら本実施形態では、前記した偏心によって、この回転が防止される。
【００５１】
なお偏心が実施されていないと、回転が実施される。すると、この回転によって、当接部７３は、先端面２１ａに当接した状態で、先端面２１ａを摺動することとなる。この摺動は、非機能領域部２１ｃから機能領域部２１ｂに移動し、さらに機能領域部２１ｂにおいて移動することを含む。当接部７３が機能領域部２１ｂに当接した状態で機能領域部２１ｂにおいて移動する際、当接部７３は機能領域部２１ｂを摩耗によって傷つける虞が生じる。この回転によって、凹部５３ａと凸部５３ｂとは先端硬質部２１の軸周り方向にずれて、凸部５３ｂが観察視野１０１と照明範囲とに重複し、凸部５３ｂが観察視野１０１と照明範囲とを遮る虞が生じる。  
しかしながら、図２Ｂと図２Ｃと図２Ｄとに示すように、本実施形態では、前記した偏心によって、この回転が防止される。よって、凹部５３ａが観察視野１０１と照明範囲とに重複するように、キャップ５０は、装着具７０によって、先端硬質部２１の軸周り方向おいて、先端硬質部２１に対して位置決めされる。前記したような当接部７３が機能領域部２１ｂを傷つけることは、防止される。前記したような凹部５３ａと凸部５３ｂとが先端硬質部２１の軸周り方向にずれることが防止され、凸部５３ｂが観察視野１０１と照明範囲とに重複することが防止され、凸部５３ｂが観察視野１０１と照明範囲とを遮ることが防止される。  
前記を前提に、凹部５３ａと凸部５３ｂと、凹部５３ａと凸部５３ｂとに対応する凸部７７ａと凹部７７ｂとの配設位置が所望に規定される。キャップ５０が装着具７０に装着された状態で先端硬質部２１に装着された際、凹部５３ａが観察視野１０１と照明範囲とに重複した状態で、キャップ５０が先端硬質部２１の軸周りに位置決めされるように、装着挿入部７１は当接部７３に配設されている。
【００５２】
［本体部７９］  
図２Ｂと図２Ｃと図２Ｄとに示すように、位置決め部７７のために、装着具７０は、装着基端部７０ｂに配設され、ベース部７５よりも太い本体部７９をさらに有している。キャップ５０が装着具７０に装着される作業時において、本体部７９は、操作者が装着具７０を把持する把持部として機能する。
【００５３】
本体部７９は、例えば、柱形状、具体的には円柱形状を有している。本体部７９は、例えば、ベース部７５と一体である。本体部７９の中心軸は、装着具７０の中心軸上に配設されている。
【００５４】
図２Ｂと図２Ｃと図２Ｄとに示すように、本体部７９は、本体部７９の本体先端部７９ａに配設されている本体先端面部７９ｃを有している。本体先端面部７９ｃは、当接先端面部７３ｃが非機能領域部２１ｃに当接するように、ベース部７５の根本部分であるベース部７５のベース基端部７５ｂと連接している。本体先端面部７９ｃは、装着具７０の軸方向においてベース部７５が本体先端面部７９ｃに載置されるように、ベース部７５のベース基端部７５ｂと連接している。詳細には、ベース部７５の中心軸が本体先端面部７９ｃの中心軸上に配設されるように、ベース部７５は本体部７９に配設されている。このように、本体部７９は、ベース部７５が載置される本体先端面部７９ｃを有している。
【００５５】
前記したように、本体部７９はベース部７５よりも太く、本体部７９の中心軸はベース部７５の中心軸と同軸上に配設されている。この構成によって、本体先端面部７９ｃは、ベース部７５から露出する平面上に配設されているリング形状の露出面７９ｄを有することとなる。
【００５６】
図２Ｂと図２Ｃと図２Ｄとに示すように、露出面７９ｄは、キャップ５０が装着具７０に装着される際、キャップ５０の先端面５３ｃと当接する。よって露出面７９ｄは、例えば、露出面７９ｄに当接するキャップ５０の先端面５３ｃの形状に対応する形状を有している。詳細には、露出面７９ｄは、装着具７０の軸方向において、露出面７９ｄの一部が凸設されている前記した凸部７７ａと、露出面７９ｄの一部が凹設されている前記した凹部７７ｂとを有している。前記したように、装着具７０の軸周り方向において、凸部７７ａと凹部７７ｂとは、互いに隣り合っており、交互に配設されている。凸部７７ａは、ベース部７５の側面と一体となっている。
【００５７】
このような凸部７７ａと凹部７７ｂとを有する露出面７９ｄは、装着具７０の軸周り方向において、例えば波形状に形成されている。装着具７０の軸周り方向において、露出面７９ｄの稜線部７９ｅは滑らかとなっている。つまり、凸部７７ａは、装着具７０の軸周り方向において、段差が形成されることなく、滑らかに凹部７７ｂと連続する。
【００５８】
そして図２Ｂと図２Ｃと図２Ｄとに示すように、キャップ５０が装着具７０に装着される際、凹部７７ｂには凸部５３ｂが嵌め込まれ、凸部７７ａが凹部５３ａに嵌め込まれるように、露出面７９ｄはキャップ５０の先端面５３ｃに当接する。そして露出面７９ｄは、キャップ５０が装着具７０の軸方向において装着具７０を貫通することを、当接によって防止する。露出面７９ｄは、装着具７０に対して、装着具７０の軸方向においてキャップ５０を位置決めする。凸部７７ａと凹部７７ｂとは、凹部５３ａと凸部５３ｂと共に、装着具７０に対して、キャップ５０の軸周り方向においてキャップ５０を位置決めする。前記したように、凸部７７ａと凹部７７ｂとは、凹部５３ａと凸部５３ｂと共に、軸周り方向において先端硬質部２１に対してキャップ５０と装着具７０とを位置決めする。
【００５９】
［長さ関係］  
図３Ａと図３Ｂとに示すように、一例として、各部材の長さを、以下のように規定する。  
装着挿入部７１の長さを、Ｌ１と称する。  
装着先端部７０ａの長さ、言い換えると、露出面７９ｄから装着挿入部７１の装着挿入先端部７１ａまでの長さを、Ｌ２と称する。  
キャップ５０の全長を、Ｌ３と称する。  
前記において、Ｌ１＜Ｌ３＜Ｌ２  となっている。  
このように装着挿入部７１は、先端面５３ｃが位置決め部７７に当接した際に、装着挿入部７１の装着挿入先端部７１ａがキャップ５０を貫通しキャップ５０の基端部５１から突出し基端部５１から露出する長さを有している。
【００６０】
これにより、キャップ５０が装着具７０に装着された際、装着挿入先端部７１ａは、キャップ５０の基端部５１から確実に露出する。このため、装着具７０を含むキャップ５０が先端硬質部２１に装着される際、装着先端部７０ａは確実に目視され、容易に装着が実施される。
【００６１】
図３Ａに示すように、当接部７３の長さと、ベース部７５の長さとの和をＬ４と称する。Ｌ４は、Ｌ２−Ｌ１となる。  
このＬ４は、キャップ５０の軸方向において先端面２１ａから前方に向かって突出するキャップ５０において、キャップ５０の突出量を規定する。そして、このＬ４は、キャップ５０が先端硬質部２１に装着された際、凹部５３ａが観察視野１０１と照明範囲とに重複するように、キャップ５０の軸方向において、先端面２１ａに対する凹部５３ａと凸部５３ｂとを位置決めする。つまり、先端面２１ａに対する凹部５３ａと凸部５３ｂとの高さ位置を、Ｌ４は設定する。
【００６２】
図３Ａと図３Ｃとに示すように、処置具挿通チャンネル１３０は、処置具挿通チャンネル１３０の先端部に配設され、処置具開口部１３０ａと連通している筒状の硬質部材１３０ｂと、処置具挿通チャンネル１３０の基端部に配設され、硬質部材１３０ｂと連通している筒状の軟質部材１３０ｃとを有している。硬質部材１３０ｂは例えば金属であり、軟質部材１３０ｃは例えば樹脂である。この硬質部材１３０ｂの全長を、Ｌ５と称する。  
前記において、Ｌ１＜Ｌ５  となっている。  
このように装着挿入部７１は、硬質部材１３０ｂのみに収納されるように、硬質部材１３０ｂよりも短くなっている。  
これにより、装着挿入部７１は、硬質部材１３０ｂのみに収納され、軟質部材１３０ｃに挿入されず、軟質部材１３０ｃを傷つけることを防止する。
【００６３】
図３Ａと図３Ｂとに示すように、一例として、各部材の径を、以下のように規定する。  
本体部７９の直径を、Ｄ１と称する。  
キャップ５０の外径を、Ｄ２と称する。  
前記において、Ｄ２≦Ｄ１    となっている。  
これにより、キャップ５０が装着具７０に装着される際、キャップ５０の先端面５３ｃが露出面７９ｄに確実に当接し、キャップ５０が装着具７０の軸方向において装着具７０を貫通することを露出面７９ｄは当接によって防止する。
【００６４】
［作用］  
図２Ｂと図３Ｂとに示すように、キャップ５０が装着先端部７０ａを覆うように、キャップ５０の先端部５３はベース部７５に嵌め込まれる。そして、凹部７７ｂには凸部５３ｂが嵌め込まれ、凸部７７ａが凹部５３ａに嵌め込まれるように、露出面７９ｄはキャップ５０の先端面５３ｃに当接する。これにより、キャップ５０は、装着具７０に装着される。
【００６５】
このとき、図２Ｃに示すように、キャップ５０は、露出面７９ｄによって、装着具７０の軸方向において装着具７０を貫通することを防止される。そして、キャップ５０は、露出面７９ｄによって、装着具７０に対して、装着具７０の軸方向において位置決めされる。キャップ５０は、凸部７７ａと凹部７７ｂと凹部５３ａと凸部５３ｂとによって、装着具７０に対して、キャップ５０の軸周り方向において位置決めされる。キャップ５０は、ベース部７５によって、装着具７０に対して、キャップ５０の径方向において位置決めされる。図３Ｂに示すように、装着挿入部７１の装着挿入先端部７１ａは、キャップ５０を貫通し、キャップ５０の基端部５１から突出し、基端部５１から露出している。
【００６６】
次に、本体部７９は、把持される。そして、図２Ｂと図２Ｃとに示すように、装着挿入部７１が処置具開口部１３０ａに挿入され、当接部７３が非機能領域部２１ｃに当接するように、キャップ５０は装着具７０によって先端硬質部２１に装着される。前記したように装着挿入先端部７１ａがキャップ５０の基端部５１から露出しているため、装着挿入先端部７１ａが目視された状態で、キャップ５０は装着具７０によって先端硬質部２１に装着される。
【００６７】
このとき装着具７０が装着挿入部７１を中心軸として先端硬質部２１に対して装着挿入部７１の軸周りに回転しようとする。しかしながら、処置具開口部１３０ａは先端面２１ａの中心軸に対して偏心しており、装着挿入部７１は装着具７０の中心軸に対して偏心しており、位置決め部７７における凸部７７ａと凹部７７ｂと凹部５３ａと凸部５３ｂとが配設され、キャップ５０が配設されている。よって、装着具７０は回転を防止される。キャップ５０が先端硬質部２１に対してキャップ５０の軸周りに回転しようとしても、キャップ５０は、前記によって回転を防止される。そして、キャップ５０と装着具７０とは、先端硬質部２１の軸周り方向において、先端硬質部２１に対して位置決めされる。  
よって、装着具７０が回転することによって機能領域部２１ｂを傷つけることが防止される。
【００６８】
前記において、凹部５３ａと凸部５３ｂと、凹部５３ａと凸部５３ｂとに対応する凸部７７ａと凹部７７ｂとの配設位置によって、キャップ５０が装着具７０に装着された状態で先端硬質部２１に装着されると同時に、凹部５３ａが観察視野１０１と照明範囲とに重複することとなる。このため、装着具７０が取り外されると、キャップ５０は先端硬質部２１の軸周り方向において位置決めされた状態で装着されることなる。つまり、装着具７０が取り外された後に、凹部５３ａが観察視野１０１と照明範囲とに重複するように、先端硬質部２１の軸周り方向にキャップ５０の位置を調整する手間をかけなくて済む。
【００６９】
先端面２１ａにおいて、非機能領域部２１ｃが当接部７３に当接しているのみであり、機能領域部２１ｂは装着具７０とは当接しない。ベース部７５は、当接部７３の長さによって、先端面２１ａから離れて配設されている。そして、キャップ５０の軸方向においてベース部７５のベース先端面部７５ｃ全体と先端面２１ａとの間にスペース部８０が形成されている。  
よって、装着具７０が機能領域部２１ｂを傷つけることが防止される。
【００７０】
キャップ５０の軸方向において先端面２１ａから前方に向かって突出するキャップ５０において、キャップ５０は、当接部７３の長さとベース部７５の長さとによって、キャップ５０の突出量を規定される。つまり、キャップ５０の軸方向において、凹部５３ａと凸部５３ｂとは、凹部５３ａが観察視野１０１と照明範囲とに重複するように、先端面２１ａに対して位置決めされる。  
これにより、装着具７０が取り外されると、凹部５３ａが観察視野１０１と照明範囲とに重複するように、キャップ５０は先端硬質部２１の軸方向において位置決めされた状態で装着されることなる。つまり、装着具７０が取り外された後に、凹部５３ａが観察視野１０１と照明範囲とに重複するように、先端硬質部２１の軸方向にキャップ５０の位置を調整する手間をかけなくて済む。
【００７１】
キャップ５０は、樹脂などの柔軟な部材によって形成されている。本実施形態とは異なり、キャップ５０が先端硬質部２１に直接装着される際、キャップ５０の形状が崩れ、キャップ５０が容易に先端硬質部２１に装着されない虞が生じる。  
しかしながら本実施形態では、装着具７０が利用される。このため、キャップ５０は装着具７０によって所望する強度を確保することとなる。このため、キャップ５０が先端硬質部２１に装着される際、キャップ５０の形状が崩れることは防止され、キャップ５０が容易に先端硬質部２１に装着される。
【００７２】
当接部７３は、送気送水ノズル１２０ａよりも長い。このため、当接部７３が非機能領域部２１ｃに当接した際に、ベース部７５が送気送水ノズル１２０ａに当接し、ベース部７５が送気送水ノズル１２０ａを押しつぶすことは防止される。
【００７３】
［効果］  
このように本実施形態では、処置具開口部１３０ａは先端面２１ａの中心軸に対して偏心しており、装着挿入部７１は装着具７０の中心軸に対して偏心しており、位置決め部７７における凸部７７ａと凹部７７ｂと凹部５３ａと凸部５３ｂとが配設され、キャップ５０が配設されている。よって本実施形態では、キャップ５０が装着具７０によって先端硬質部２１に装着される際、装着具７０を含むキャップ５０がキャップ５０の軸周り方向に回転することを防止できる。これにより、本実施形態では、回転によって機能領域部２１ｂが傷つくことを防止できる。  
本実施形態では、前記によって、キャップ５０が装着具７０に装着された状態で先端硬質部２１に装着されると同時に、凹部５３ａを観察視野１０１と照明範囲とに重複できる。よって本実施形態では、装着具７０が取り外された後に、凹部５３ａが観察視野１０１と照明範囲とに重複するように、先端硬質部２１の軸周り方向にキャップ５０の位置を調整する手間をかけなくて済む。
【００７４】
本実施形態では、先端面２１ａにおいて、非機能領域部２１ｃが当接部７３に当接しているのみであり、機能領域部２１ｂは装着具７０と当接しない。ベース部７５は、当接部７３の長さによって、先端面２１ａから離れて配設されている。そして、キャップ５０の軸方向においてベース部７５のベース先端面部７５ｃ全体と先端面２１ａとの間にスペース部８０が形成されている。よって、本実施形態では、装着具７０が機能領域部２１ｂを傷つけることを防止できる。  
本実施形態では、当接部７３の長さとベース部７５の長さとによって、キャップ５０の軸方向において先端面２１ａから前方に向かって突出するキャップ５０において、キャップ５０の突出量を規定できる。よって本実施形態では、装着具７０が取り外されると、装着具７０が取り外された後に、凹部５３ａが観察視野１０１と照明範囲とに重複するように、先端硬質部２１の軸方向にキャップ５０の位置を調整する手間をかけなくて済む。
【００７５】
本実施形態では、装着具７０によって、キャップ５０を容易に先端硬質部２１に装着できる。
【００７６】
本実施形態では、露出面７９ｄによって、キャップ５０が装着具７０の軸方向において装着具７０を貫通することを防止できる。本実施形態では、キャップ５０を、露出面７９ｄによって、装着具７０に対して、装着具７０の軸方向において位置決めできる。本実施形態では、凸部７７ａと凹部７７ｂと凹部５３ａと凸部５３ｂとによって、キャップ５０を、装着具７０に対して、キャップ５０の軸周り方向において位置決めできる。本実施形態では、キャップ５０を、ベース部７５によって、装着具７０に対して、キャップ５０の径方向において位置決めできる。
【００７７】
本実施形態では、装着挿入部７１の装着挿入先端部７１ａは、キャップ５０を貫通し、キャップ５０の基端部５１から突出し、基端部５１から露出している。よって、本実施形態では、装着挿入先端部７１ａを目視した状態で、キャップ５０を装着具７０によって先端硬質部２１に装着できる。
【００７８】
本実施形態では、装着挿入部７１は、硬質部材１３０ｂのみに収納されるように、硬質部材１３０ｂよりも短くなっている。これにより、本実施形態では、装着挿入部７１を硬質部材１３０ｂのみに収納でき、軟質部材１３０ｃを傷つけることを防止できる。
【００７９】
当接部７３は、送気送水ノズル１２０ａの突出長よりも長い。このため、当接部７３が非機能領域部２１ｃに当接した際に、ベース部７５が送気送水ノズル１２０ａに当接し、ベース部７５が送気送水ノズル１２０ａを押しつぶすことを防止できる。
【００８０】
本実施形態では、前記よって、装着具７０によって、挿入部２０の挿入先端部（先端硬質部２１）に装着されるキャップ５０を提供できる。  
本実施形態では、前記よって、挿入先端部（先端硬質部２１）に装着具７０によって装着されるキャップ５０を含む内視鏡装置５を提供できる。言い換えると、本実施形態では、前記によってキャップ５０が装着されている内視鏡挿入部を有する内視鏡装置５を提供できる。
【００８１】
［その他］  
なお、装着挿入部７１と当接部７３とベース部７５とは、それぞれ別体であってもよい。ベース部７５は、本体部７９と別体であってもよい。
【００８２】
当接先端面部７３ｃは、非機能領域部２１ｃ全体に当接してもよい。この場合、例えば、当接先端面部７３ｃは、非機能領域部２１ｃと同じ形状を有している。
【００８３】
位置決め部７７は、凸部７７ａと凹部７７ｂと、凹部５３ａと凸部５３ｂとを有するが、これに限定される必要はない。位置決め部７７は、非機能領域部２１ｃに配設される凸部と凹部との少なくとも一方と、当接先端面部７３ｃに配設され、一方に嵌め込まれる他方とをさらに有していてもよい。
【００８４】
図４Ａに示すように、露出面７９ｄを含む本体部７９の本体先端部７９ａは、外向きフランジ部として形成されていてもよい。リング形状の露出面７９ｄの外形は、円形状であっても、多角形形状であってもよく、特に限定されない。
【００８５】
図４Ｂに示すように、装着挿入部７１の装着挿入先端部７１ａは、面取りされている面取り部７１ｃを有していてもよい。これにより装着挿入部７１が処置具開口部１３０ａに挿入される際、装着挿入先端部７１ａが処置具開口部１３０ａや処置具挿通チャンネル１３０を傷つけることを、面取り部７１ｃによって防止できる。
【００８６】
図４Ｃに示すように、装着挿入部７１は、装着挿入部７１の軸方向において、装着挿入部７１の装着挿入基端部７１ｂから装着挿入部７１の装着挿入先端部７１ａに向かって、先細に形成されていてもよい。これにより、装着挿入部７１を処置具開口部１３０ａに容易に挿入できる。
【００８７】
装着挿入部７１は処置具開口部１３０ａに挿入されるが、装着挿入部７１が挿入される開口部はこれに限定されない。  
図５Ａに示すように、例えば、内視鏡１０は、先端面２１ａに配設され、管腔内を洗浄する洗浄液を吐出する吐出開口部１４０ａと、挿入部２０の内部に配設され、吐出開口部１４０ａと連通する洗浄液用チャンネルを有しているとする。この場合、図５Ａに示すように、装着挿入部７１は、例えば、吐出開口部１４０ａに挿入されてもよい。このように、装着挿入部７１が挿入される開口部は、処置具挿通チャンネル１３０と連通する処置具開口部１３０ａと、洗浄液を吐出する吐出開口部１４０ａとの少なくとも一方を有していればよい。
【００８８】
なお、図３Ｃに示す処置具挿通チャンネル１３０と同様に、洗浄液用チャンネルは、挿入部２０の内部に配設されている洗浄液用チャンネルの先端部に配設され、吐出開口部１４０ａと連通している筒状の硬質部材と、洗浄液用チャンネルの基端部に配設され、硬質部材と連通している筒状の軟質部材とを有している。硬質部材は例えば金属であり、軟質部材は例えば樹脂である。装着挿入部７１は、硬質部材よりも短くなっている。  
このように装着挿入部７１が挿入される開口部は、挿入部２０の内部に配設されているチャンネルの先端部に配設されている筒状の硬質部材と連通している。そして、装着挿入部７１は、硬質部材のみに収納されるように、硬質部材よりも短くなっている。
【００８９】
前記したように開口部は、複数配設されているとする。この場合、図５Ｂに示すように例えば処置具開口部１３０ａが複数配設される、または図５Ａと図５Ｃとに示すように処置具開口部１３０ａと吐出開口部１４０ａとが配設される。装着挿入部７１は、少なくとも１つ以上且つ開口部の数と同数または開口部の数よりも少なく配設され、１つの装着挿入部７１が１つの開口部に挿入されてもよい。
【００９０】
装着挿入部７１は、当接部７３とは別体であってもよい。この場合、図５Ａと図５Ｂと図５Ｃとに示すように、装着挿入部７１は、装着挿入部７１の装着挿入基端部７１ｂがベース先端面部７５ｃと連接するように、装着挿入部７１はベース部７５と連接している。つまり装着挿入部７１がベース先端面部７５ｃの平面方向に対して直交方向に沿って配設されさらに装着具７０の軸方向に沿って配設されるように、装着挿入部７１はベース部７５に立設されていてもよい。そして、装着挿入部７１は、当接部７３とベース部７５との少なくとも一方に立設されていればよい。  
この場合、図５Ｂに示すように、一方の装着挿入部７１は当接部７３と連接し、他方の装着挿入部７１は一方の装着挿入部７１と並んで配設されるようにベース部７５と連接してもよい。または、各装着挿入部７１は、図示はしないが当接部７３と連接してもよいし、図５Ｃに示すようベース部７５と連接してもよい。
【００９１】
図６Ａと図６Ｂとに示すように、当接部７３の円弧上の外周面の一部７３ｄは、キャップ５０が装着具７０に装着された際に、一部７３ｄがキャップ５０の内周面の一部と当接するように、装着具７０の軸方向において、ベース部７５の外周面の一部７５ｄと同一平面上に配設され、ベース部７５の外周面の一部７５ｄと連接していてもよい。これにより、当接部７３の円弧上の外周面の一部７３ｄは、キャップ５０の内周面の一部と当接することが可能となる。これにより、キャップ５０が装着具７０に装着された際に、キャップ５０の径方向におけるキャップ５０のがたつきを防止できる。
【００９２】
図７Ａと図７Ｂとに示すように、当接部７３は、複数配設されてもよい。この場合、各当接部７３は、同じ長さを有している。  
この場合、一方の当接部７３は、前記したように、装着挿入部７１の装着挿入基端部７１ｂに連接している。そして図７Ａと図７Ｂとに示すように、この一方の当接部７３は、前記したように、例えば、先端硬質部２１の軸周り方向において、処置具開口部１３０ａと観察窓部１００ａとの間の領域部を示す非機能領域部２１ｃに当接する。  
図７Ａと図７Ｂとに示すように、他方の当接部７３は、一方の当接部７３の側方、例えば、送気送水ノズル１２０ａを避けており、観察窓部１００ａ周辺の領域部を示す非機能領域部２１ｃに当接する。他方の当接部７３は、ベース先端面部７５ｃの縁部に配設されることが好適である。他方の当接部７３は、図７Ａに示すように円柱形状を有していてもよいし、図７Ｂに示すように円弧形状を有していてもよい。
【００９３】
当接部７３が複数配設され、すべての当接部７３が非機能領域部２１ｃに当接するために、当接部７３を含む装着具７０のがたつきを抑制でき、装着具７０が先端面２１ａを傷つけることを確実に防止できる。
【００９４】
本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。
【図１Ａ】
0005857159.tif 000002
【図１Ｂ】
0005857159.tif 000003
【図１Ｃ】
0005857159.tif 000004
【図１Ｄ】
0005857159.tif 000005
【図１Ｅ】
0005857159.tif 000006
【図１Ｆ】
0005857159.tif 000007
【図２Ａ】
0005857159.tif 000008
【図２Ｂ】
0005857159.tif 000009
【図２Ｃ】
0005857159.tif 000010
【図２Ｄ】
0005857159.tif 000011
【図３Ａ】
0005857159.tif 000012
【図３Ｂ】
0005857159.tif 000013
【図３Ｃ】
0005857159.tif 000014
【図４Ａ】
0005857159.tif 000015
【図４Ｂ】
0005857159.tif 000016
【図４Ｃ】
0005857159.tif 000017
【図５Ａ】
0005857159.tif 000018
【図５Ｂ】
0005857159.tif 000019
【図５Ｃ】
0005857159.tif 000020
【図６Ａ】
0005857159.tif 000021
【図６Ｂ】
0005857159.tif 000022
【図７Ａ】
0005857159.tif 000023
【図７Ｂ】
0005857159.tif 000024